(57)【要約】【課題】貴金属ナノ粒子を標識としたバイオセンシングにおいて、特異結合反応効率及び検出精度を高める。【解決手段】検出液（１）は、貴金属ナノ粒子（１０）を標識として、被測定試料（２）中に含まれる、生体物質からなる被検出物質（Ｒ）を検出するバイオセンシングに用いる検出液（１）であって、被検出物質（Ｒ）と特異結合する親水性の生体物質を含むプローブ（２０）と、疎水性部（３１）と親水性部（３２）とを有する両親媒性のＳＡＭ（３０）とが表面（１０ｓ）に固定された貴金属ナノ粒子（１０）が緩衝性水溶液（４０）に分散されてなり、両親媒性のＳＡＭ（３０）の粒子（１０）に固定されている側が、疎水性部（３１）であり、プローブ（２０）は表面（１０ｓ）に化学結合（Ｂｃ）により固定されている。【選択図】図１Ａ
2015159534.tif 000002
【特許請求の範囲】
【請求項１】
貴金属ナノ粒子を標識として、被測定試料中に含まれる、生体物質からなる被検出物質を検出するバイオセンシングに用いる検出液であって、
前記被検出物質と特異結合する親水性の生体物質を含むプローブと、疎水性部と親水性部とを有する両親媒性の自己組織化単分子膜とが表面に固定された前記貴金属ナノ粒子が緩衝性水溶液に分散されてなり、
前記自己組織化単分子膜は、前記粒子に固定されている側が前記疎水性部であり、且つ、
前記親水性部の末端の官能基が正又は負のいずれか１種の電荷を有しており、
前記プローブが前記表面に化学結合により固定されている検出液。
【請求項２】
前記親水性部の末端の官能基の電荷と、前記親水性の生体物質の電荷が同種である請求項１に記載の検出液。
【請求項３】
前記親水性部がポリエチレングリコール鎖である請求項１又は２いずれか一項記載の検出液。
【請求項４】
前記親水性部が糖鎖である請求項１又は２いずれか一項記載の検出液。
【請求項５】
前記生体物質が抗体である請求項１〜４いずれか一項記載の検出液。
【請求項６】
前記生体物質が断片化された抗体である請求項１〜４いずれか一項記載の検出液。
【請求項７】
前記化学結合が断片化された抗体の持つジスルフィド基又はチオール基の硫黄原子と前記表面の貴金属原子との結合である請求項１〜６いずれか一項記載の検出液。
【請求項８】
貴金属ナノ粒子を標識として、被測定試料中に含まれる、生体物質からなる被検出物質を検出するバイオセンシングにおいて、
前記特異結合が互いに異なり、且つ、前記官能基の電荷が同種である２種以上の前記請求項１〜７いずれか一項記載の検出液を用意する検出液準備工程と、
前記被測定試料を含む緩衝性水溶液中に前記２種以上の検出液を混合して反応液を調製する反応液調製工程と、
該反応液中の全ての前記プローブの生体物質と前記被検出物質とを特異結合させる反応工程と、
該反応工程後の前記反応液を用いて、前記標識を検出することにより前記被測定試料中の前記特異結合した前記被検出物質の有無を検出する検出工程を有するバイオセンシング方法。
【請求項９】
前記検出工程において、前記被検出物質の有無の検出を、ゲル電気泳動により実施する請求項８に記載のバイオセンシング方法。
【請求項１０】
前記検出工程において、前記被検出物質の有無を、散乱光の偏光異方指数により検出する請求項８に記載のバイオセンシング方法。
【請求項１１】
前記検出工程において、前記被検出物質の有無を、光散乱相関分光法 により検出する請求項８記載のバイオセンシング方法。
【発明の詳細な説明】
【技術分野】
【０００１】
本発明は、貴金属ナノ粒子を用いたバイオセンシングに使用する検出液及びその検出液を用いたバイオセンシング方法に関する。
【背景技術】
【０００２】
バイオセンシングは、生体物質の特異的な結合（特異結合）を、光学的又は電気的な信号の変化を用いて検出することにより行われている。光学的な信号の変化を検出するバイオセンシングには、放射性同位元素や蛍光物質，貴金属ナノ粒子等を標識として被検出物質を検出する方法等がある。【０００３】
大がかりな測定装置が不要で、簡易なセンシングを可能にするものとして、貴金属ナノ粒子を標識としたバイオセンシングが、免疫診断や、遺伝子解析等の分野において試みられている。例えば、特許文献１及び非特許文献１では、特定の配列を有する核酸断片を検出するバイオセンシングにおいて、一本鎖の核酸同士の塩基配列が相補的（特異的）である場合に相補性を持つ塩基対間の水素結合により二本鎖核酸を形成するハイブリダイゼーション法の標識として、貴金属ナノ粒子を用いる方法が記載されている。【０００４】
特許文献１には、核酸の配列の一部と相補的な配列を有するオリゴヌクレオチドを付着した貴金属粒子をプローブとして用い、このオリゴヌクレオチドが核酸に対してハイブリダイズした結果として生じる色の変化を検出する方法が記載されている。【０００５】
非特許文献１には、互いに相補的なＤＮＡを、表面にブラシ状に担持した金ナノ粒子同士が接近することにより生じるハイブリダイゼーションにより、金ナノ粒子の局在プラズモン共鳴波長が長波長シフトして、金ナノ粒子の呈色が変化することを利用した遺伝子診断法が記載されている。また、非特許文献１の図１には、ＤＮＡターゲットと相補鎖を形成する２種類のＤＮＡプローブ（通常、ＤＮＡターゲットの異なる部分（概ね半分ずつ）と相補的）を、それぞれ貴金属ナノ粒子に担持する測定法も示されている。この場合、被検出物質は、貴金属ナノ粒子に担持されていないＤＮＡターゲットである。
【先行技術文献】
【特許文献】
【０００６】
【特許文献１】特開２００４−５１５２０８号公報
【非特許文献】
【０００７】
【非特許文献１】佐藤保信、前田瑞夫、「ＤＮＡ担持ナノ粒子による遺伝子診断」、ぶんせき、２００８年9月号、ｐ．４６８−４７１
【発明の概要】
【発明が解決しようとする課題】
【０００８】
しかしながら、特許文献１及び非特許文献１の方法では、例えば、ゲル電気泳動法を用いた検出において、ハイブリダイゼーション前の状態で、複数のバンドが検出される等、特異結合（ハイブリダイゼーション）の検出精度が低いという問題があり、更に、特異結合反応効率も低い。【０００９】
本発明は、上記事情に鑑みてなされたものであり、貴金属ナノ粒子を標識として、被測定試料中に含まれる、生体物質からなる被検出物質を検出するバイオセンシングにおいて、特異結合反応効率が高く、検出精度の良好なバイオセンシング方法、及びそれを可能にする検出液を提供することを目的とするものである。
【課題を解決するための手段】
【００１０】
本発明の検出液は、貴金属ナノ粒子を標識として、被測定試料中に含まれる、生体物質からなる被検出物質を検出するバイオセンシングに用いる検出液において、
被検出物質と特異結合する親水性の生体物質を含むプローブと、疎水性部と親水性部とを有する両親媒性の自己組織化単分子膜とが表面に固定された貴金属ナノ粒子が緩衝性水溶液に分散されてなり、
自己組織化単分子膜は、粒子に固定されている側が疎水性部であり、且つ、親水性部の末端の官能基が正又は負のいずれか１種の電荷を有しており、プローブが貴金属ナノ粒子の表面に化学結合により固定されている。【００１１】
本明細書において、緩衝性水溶液とは、一般に微生物の培養や化学物質、生体物質の保存、分離等に用いられる水溶液を意味し、外的要因（大気中の二酸化炭素など）あるいは内的要因（微生物自身の代謝産物など）によってほとんどｐＨが変動しない水溶液を意味する。
また、化学結合とは、分子同士の弱い相互作用である分子間力（イオン間相互作用、水素結合、ファンデルワールス力、疎水性相互作用、物理吸着）を除く、２つの原子又は分子間における電子の共有による強い相互作用による結合を意味する。具体的には、共有結合、配位結合、金属間結合、貴金属―硫黄間結合を意味するものとする。【００１２】
本発明の検出液において、親水性部の末端の官能基の電荷と、親水性の生体物質の電荷が同種であることが好ましい。【００１３】
また、自己組織化単分子膜の親水性部は、ポリエチレングリコール鎖又は糖鎖であることが好ましい。【００１４】
本発明の検出液は、生体物質が抗体である場合に好適であり、断片化された抗体である場合はより好適である。生体物質が断片化された抗体の場合は、貴金属ナノ粒子との化学結合は断片化された抗体の持つジスルフィド基又はチオール基の硫黄原子と貴金属ナノ粒子表面の貴金属原子との結合であることが好ましい。【００１５】
本発明のバイオセンシング方法は、貴金属ナノ粒子を標識として、被測定試料中に含まれる、生体物質からなる被検出物質を検出するバイオセンシングにおいて、
特異結合が互いに異なり、且つ、官能基の電荷が同種である２種以上の請求項１〜７いずれか一項記載の検出液を用意する検出液準備工程と、
被測定試料を含む緩衝性水溶液中に準備した２種以上の検出液を混合して反応液を調製する反応液調製工程と、
この反応液中の全てのプローブの生体物質と被検出物質とを特異結合させる反応工程と、
反応工程終了後の反応液を用いて、標識を検出することにより被測定試料中の特異結合した被検出物質の有無を検出する検出工程を有する。【００１６】
検出工程において、被検出物質の有無の検出は、ゲル電気泳動や後述する光学的な検出法により実施することが好ましい。
【発明の効果】
【００１７】
本発明の検出液は、生体物質からなる被検出物質と特異結合する親水性の生体物質を含むプローブと、疎水性部と親水性部とを有する両親媒性の自己組織化単分子膜（ＳＡＭ）とが表面に固定された貴金属ナノ粒子が緩衝性水溶液に分散されてなり、両親媒性のＳＡＭは貴金属ナノ粒子に固定されている側が疎水性部であり、且つ、親水性部の末端基が正又は負のいずれかの電荷を有しており、プローブは貴金属ナノ粒子の表面に化学結合により固定されている。かかる構成では、正又は負のいずかの電荷を末端に有したＳＡＭを貴金属ナノ粒子表面に備えているので、被検出物質との特異結合以外の要因による非特異的な凝集を抑制することができる。また、プローブが貴金属ナノ粒子表面に化学結合により強く固定されているため、経時や物理的な力によりプローブが貴金属ナノ粒子表面から外れて検出限界が劣化する心配もない。従って、本発明によれば、特異結合反応効率が高く、検出精度の良好なバイオセンシングを実施することができる。【００１８】
更に、本発明の検出液において、ＳＡＭの粒子に固定されていない側の末端の官能基（末端基）の帯電状態が、緩衝性水溶液中において、親水性の生体物質を含むプローブの帯電状態と同じである態様では、ＳＡＭの末端基と親水性の生体物質とが反発しあうことから、より効果的な、非特異的な凝集抑制効果及び特異結合の反応効率向上効果を得ることができ、高精度なバイオセンシングを実施することができる。
【図面の簡単な説明】
【００１９】
【図１Ａ】左図は本発明の検出液の構成を示す概略断面模式図、右図は被測定試料の構成を示す模式図
【図１Ｂ】本発明の検出液に含まれる貴金属ナノ粒子の好適な態様を示す概略断面模式図。
【図１Ｃ】図１Ｂの貴金属ナノ粒子表面の一実施形態を示す拡大概略模式図
【図２】抗体及びその断片化処理後の構成を模式的に示した図
【図３】I〜IVは、貴金属表面に抗体とＳＡＭが結合された態様を示す模式図であり、抗体が通常の物理結合により結合されてなる場合の経時による結合状態の変化の様子を示した図
【図４Ａ】本発明のバイオセンシング方法の検出液準備工程の好適な態様を示す概略断面模式図
【図４Ｂ】本発明のバイオセンシング方法の混合工程の好適な態様を示す概略断面模式図
【図４Ｃ】本発明のバイオセンシング方法の反応工程と結合工程の好適な態様を示す概略断面模式図
【図５】光偏光計測による検出に用いる装置の概略構成模式図
【図６】異方指数を用いた検出例 (粒子形状と異方指数ＡＩとの相関)を示す図
【図７】光散乱相関分光法により得られた単量体及び二量体の自己相関関数
【図８】実施例１及び比較例１，２のゲル電気泳動法による検出結果を示す図
【発明を実施するための形態】
【００２０】
（検出液）
図面を参照して本発明にかかる一実施形態の検出液及びその調製方法について説明する。図１Ａ左図は、本実施形態の検出液の構成を示す概略断面模式図、右図は被測定試料（試料液）の構成を示す模式図、図１Ｂは検出液に含まれる貴金属ナノ粒子の好適な態様を示す概略断面模式図である。図１Ｃは、図１Ｂに示される貴金属ナノ粒子表面の一実施形態を示す拡大概略模式図である。本明細書の概略図及び模式図では、視認しやすくするため各部の縮尺は適宜変更して示してある。
【００２１】
本発明者は、表面にブラシ状に生体物質を担持した貴金属ナノ粒子を用いたバイオセンシングにおいて、「背景技術」の項において述べた検出精度の低下、及び、特異結合反応効率の低下の主な要因が、被検出物質との特異結合を形成しない場合でも、貴金属ナノ粒子同士が非特異的に凝集することであることを見出した。そこで、本発明者は、正又は負のいずかの電荷を末端に有した表面修飾を貴金属ナノ粒子表面に備えることにより、貴金属ナノ粒子表面が正又は負に帯電するため、その電荷反発により上記非特異的な凝集を抑制可能であると考えた。貴金属ナノ粒子表面の、正又は負のいずれかの電荷を末端に有した表面修飾は、自己組織化単分子膜（ＳＡＭ）とすることにより、単分子サイズの超薄膜（単分子膜）を貴金属ナノ粒子表面に容易に形成可能である。
【００２２】
すなわち、検出液１は、貴金属ナノ粒子１０を標識として、被測定試料２中に含まれる、生体物質からなる被検出物質Ｒを検出するバイオセンシングに用いるものであり、被検出物質Ｒと特異結合する親水性の生体物質を含むプローブ２０と両親媒性のＳＡＭ３０とが表面１０ｓに固定された貴金属ナノ粒子１０が緩衝性水溶液４０中に分散されてなり、ＳＡＭ３０は、貴金属ナノ粒子１０に固定されている側が疎水性部３１であり、且つ、親水性部３２の末端３０ｅの官能基が正又は負のいずれか１種の電荷を有しており、プローブ２０が貴金属ナノ粒子１０の表面１０ｓに化学結合Ｂｃにより固定されている。本実施形態では、図１Ｂ、図１Ｃに示されるように、プローブ２０も負の電荷を有している。
【００２３】
検出液１において、貴金属ナノ粒子１０は特に制限されず、使用する光の波長において呈色特性の良好な貴金属を選択することが好ましい。中でも金は、自然光において視認しやすい赤色の呈色を示すこと、また、チオール基やジスルフィド基と強い結合を形成しうることから好ましく利用することができる。
【００２４】
親水性の生体物質を含むプローブ２０としては、被検出物質Ｒと特異結合するものであり、貴金属ナノ粒子１０の表面１０ｓと化学結合Ｂｃにより結合可能なものであれば特に制限されない。生体物質の特異結合には、抗原―抗体結合、ＤＮＡやＲＮＡ、ＰＮＡ（Peptide Nucleic Acid、ペプチド核酸）等の核酸の相補的結合（ハイブリダイゼーション）、ビオチンーアビジン結合、抗原―アプタマー結合、糖鎖―レクチン結合等があり、検出液１はいずれの特異結合にも適用可能である。
【００２５】
両親媒性のＳＡＭ３０は、貴金属ナノ粒子１０に基端３０ａの官能基の構成原子（硫黄原子）が貴金属ナノ粒子１０の貴金属原子と結合されてなり、ＳＡＭ３０を構成する１分子において、貴金属ナノ粒子１０が固定されている側が疎水性部３１であり、且つ、親水性部３２の末端３０ｅの官能基が正又は負のいずれか１種の電荷を有している。
【００２６】
疎水性部３１としては、基端３０ａに、貴金属ナノ粒子１０と結合可能な官能基であるアルキル基を有することが好ましい。貴金属ナノ粒子１０の貴金属原子と強固な結合を容易に形成しうる官能基としては、チオール基やジスルフィド基、メルカプト基が挙げられる。これら硫黄化合物の官能基は、金等の貴金属表面上に自発的に吸着し、アルカンチオール類やアルカンジスルフィド類は、単分子サイズの超薄膜であるＳＡＭとなりうることで知られている。これらの官能基の表面１０ｓへの固定方法としては、特に制限されず既存の技術を利用することができる。
【００２７】
親水性部３２は、貴金属ナノ粒子１０の表面１０ｓが疎水性部３１で覆われることにより緩衝性水溶液４０における分散性の低下を改善するものである。疎水性の大きいＳＡＭを用いた場合は、貴金属ナノ粒子１０の水溶性が低くなっているため、緩衝性水溶液中に良好に分散させるためには、アルコール等の相溶性の高い溶媒を一旦介して分散させる必要がある。しかしながら、このような処理を行うことにより、抗体や核酸等の生体物質は損傷されて変性し、非特異の凝集が増えて良好なセンシングを行うことが難しくなる可能性が高い。非特異的な凝集の増加は特異結合反応の失活をも引き起こし、該反応の反応効率を低下させる。特に、疎水性部のアルキル鎖の炭素数が７以上である場合には疎水性が高いため水溶性（分散性）が非常に低くなる。
【００２８】
本発明者は、疎水性部３１の金ナノ粒子１０の固定側（基端３０ａ）と反対側の末端に親水性部３２を備え、末端３０ｅに正又は負のいずれか１種の電荷を有しているＳＡＭ３０とすることにより、貴金属ナノ粒子同士が非特異的に凝集する現象を抑制する効果を維持しつつ、緩衝性水溶液中への分散性が良く、生体物質へのダメージが殆どない検出液となることを見出した。
【００２９】
親水性部３２としては、緩衝性水溶液中への分散性（水溶性）を良好にしうるものであれば特に制限されないが、ポリエチレングリコール（ＰＥＧ）鎖、糖鎖、親水性ポリエステル等が挙げられる。
【００３０】
親水性部３２の末端基３０ｅは特に制限されず、酸性基（負電荷）としては、ヒドロキシル基、カルボシキル基、リン酸基、スルホン酸基等が挙げられ、塩基性基（正電荷）としては、例えば、アミノ基、第４級アンモニウム基、イミダゾール基、グアニジウム基等が挙げられる。いずれの場合も、イオン化傾向が高い官能基であることが好ましい。プローブ２０が緩衝性水溶液４０中において正又は負の電荷を有して帯電している場合は、親水性部３２の末端基３０ｅの電荷は、プローブ２０と反発し合うように、同じ帯電状態となりうる官能基であることが好ましい。
【００３１】
両親媒性のＳＡＭ３０としては、例えば、基端３０ａのジスルフィド基の硫黄原子が貴金属ナノ粒子１０の貴金属原子と結合されてなり、アルキル基（炭素数１１）からなる疎水性部３１と、末端基３０ｅがカルボキシル基であるポリエチレングリコール（炭素数６）からなる親水性部３２とがエステル結合している単分子膜（20-(11-メルカプトウンデカンイルオキシ)-3,6,9,12,15,18-ヘキサオキサエイコサン酸(英語名： 20-(11-Mercaptoundecanyloxy)-3,6,9,12,15,18-hexaoxaeicosanoic acid）)が挙げられる。かかるＳＡＭ３０の場合、単分子の長さは２．５ｎｍ〜３．０ｎｍ程度であり、そのうち疎水性部３１長が約１．２ｎｍである。わかりやすいように図１Ｃでは１分子のみを図示してある。なお、図１Ｃでは、カルボキシル基として示してあるが、緩衝性水溶液４０中ではＣＯＯ−として存在する。
【００３２】
貴金属ナノ粒子１０へのＳＡＭ３０の固定温度及びその固定に要する反応時間は、単分子膜の材料に応じて適宜設定すればよく、20-(11-メルカプトウンデカンイルオキシ)-3,6,9,12,15,18-ヘキサオキサエイコサン酸の場合は、５０℃前後の温度にて３時間程反応させることにより形成することができる。
【００３３】
ＳＡＭ３０の検出液１中の濃度（単分子の濃度）は、感度の良い検出が可能であれば特に制限されないが、１０ｎｍｏｌ／ｌ以上１０００ｎｍｏｌ／ｌ以下の範囲が好ましく、貴金属ナノ粒子の材質や粒子径、および生体物質の種類によって最適化することが好ましい。
【００３４】
本発明者は、当初、正又は負のいずれかの電荷を末端に有したＳＡＭ３０を貴金属ナノ粒子表面１０ｓに備えた構成とすれば、貴金属ナノ粒子表面１０ｓが帯電するため、その電荷反発により上記粒子同士の非特異的な凝集を抑制し、特異結合の反応効率向上効果を得ることができると考えていた。しかしながら、このようなＳＡＭ３０を形成するだけでは、充分な効果が得られない特異結合があることが判明した。
【００３５】
特異結合の検出を行う生化学分析において、プローブ２０と貴金属ナノ粒子１０との結合は、その物質それぞれに対して通常好適とされている方法があることが知られている。本発明者の検討の結果、プローブ２０が抗体である場合等、貴金属ナノ粒子１０への結合を常法により実施すると、その結合が物理吸着となる特異結合において、非特異結合の抑制効果は充分得られるものの、検出限界が経時によって劣化することがわかった。
【００３６】
抗原抗体反応による生化学分析において、貴金属ナノ粒子に抗体を固定させることはこれまでに種々実施されている。抗体の金属への固定は、Ｆｃ領域の末端部分の疎水性部分が、他の末端部分に比べて金属膜上に結合されやすいことから、特開２００８−１９７０３８号公報の段落［００３７］に記載されているように、貴金属ナノ粒子と抗体とを緩衝溶液中にて混合し、自然に物理吸着させる方法により通常行われている。
【００３７】
しかしながら、通常の物理吸着によりＦｃ末端を貴金属ナノ粒子に結合させた場合、後記する比較例２に示すように、検出液を調製直後の測定では特異結合反応効率が高く、検出精度の良好なバイオセンシングを実施できるが、数時間等の経時後に同様の検出を実施したところ、検出されるべき特異結合を検出することができなかった。
【００３８】
そこで本発明者らは、かかる現象のメカニズムについて検討を行い、その結果、貴金属ナノ粒子１０への結合が常法に於いて物理吸着であるような物質をプローブ２０として用いる場合においても、貴金属ナノ粒子１０への結合を化学結合とすることにより、上記経時により検出限界を劣化させることなく、上記粒子同士の非特異的な凝集を抑制し、特異結合の反応効率向上効果が得られることを見出した。
【００３９】
物理吸着により結合されたプローブ２０において、経時により検出限界の劣化を生じる原因は、ＳＡＭの自己組織化のメカニズムに基づくものであると本発明者は考えている。
ＳＡＭの形成は、非特許文献”田中啓文ら著、表面科学Vol.25,No.10,pp. 650-655,2004”等に記載されているように、貴金属原子（金原子）と硫黄原子等との非常に早い段階に起こる結合と、それに続く炭化水素鎖の稠密配列化（再配列）の二段階からなり、後半の再配列は、エンタルピー項に関わるファンデルワールス力、及び、エントロピー項に関わる疎水化による溶媒排除のために、時間の経過（経時）と共に炭化水素基の結晶化により起こることが知られている。
本発明者らの考えによれば、かかるＳＡＭの２段階の自己組織化メカニズムにおける再配列により、結合力の弱い物理吸着による結合が解かれて、貴金属ナノ粒子１０に結合されている抗体（プローブ）２０の絶対量が減るために、検出限界の劣化を生じる。図３は、上記推察に基づいて、抗体２０が通常の方法により結合されてなる貴金属ナノ粒子１０に、ＳＡＭ形成溶液を添加して検出液１を調製する工程を段階的に示した模式図である。図３においてIはＳＡＭ形成溶液添加直後、IIは検出液調製完了直後、IIIはＳＡＭ再配列開始時、IVはＳＡＭ再配列完了後である。
【００４０】
図３のI〜IIは、上記した金原子と硫黄原子との結合段階であり、検出液１の調製完了直後のIIでは、金ナノ粒子１０の表面は負の電荷を有するＳＡＭが再配列せずに結合されている。この場合、金ナノ粒子１０は負に帯電されているため、金ナノ粒子１０同士は表面の電荷による反発により、非特異結合による凝集を生じることなく、良好な検出を行うことができる。
しかしながら、二段階目の再配列が開始されると（図３III）、ＳＡＭの再配列によるファンデルワールス力と溶媒排除力により、抗体２０と金ナノ粒子表面１０ｓとの弱い物理吸着による結合が切れて、抗体が金ナノ粒子表面１０ｓから剥がされてしまう。その結果、再配列完了後には金ナノ粒子１０に結合された抗体の数が減り、検出限界が大幅に劣化する。
【００４１】
かかる考察に基づき、検出液１では、抗体２０を、金ナノ粒子表面１０ｓに化学結合により強固に結合させる態様とすることにより、ＳＡＭの再配列による検出限界の劣化を抑制し、検出液の調製直後のみならず、特異結合反応効率が高く、検出精度の良好なバイオセンシングを可能とした（後記実施例を参照）。
【００４２】
抗体を化学結合により貴金属ナノ粒子に化学結合させる方法としては、Ｆｃ末端にチオール基やジスルフィド基等を付与するなどして官能化してもよいし、抗体を断片化処理により形成される、末端部にジスルフィド基又はチオール基等を備えた断片化抗体を用いてもよい。図１Ｃは、プローブ２０として断片化抗体Ｆ（ａｂ’）用い、20-(11-メルカプトウンデカンイルオキシ)-3,6,9,12,15,18-ヘキサオキサエイコサン酸をＳＡＭ３０として用いた場合について、貴金属ナノ粒子表面１０ｓの拡大模式図示したものである。断片化抗体Ｆ（ａｂ’）末端には、抗原（Ａｎｔ）のエピトープと特異結合するパラトープＢｓを備えている。
【００４３】
図２は、抗体及びその断片化処理後の構成を模式的に示した図である。抗体は、図２の左図に示されるように、Ｙ字型の４本鎖構造を基本構造としており、２つの重鎖と２つの軽鎖とからなる。この重鎖と軽鎖がジスルフィド結合で結びついてヘテロダイマーを形成し、更にこのヘテロダイマー同士が２つのジスルフィド結合を含むヒンジ部により結びついてＹ字型のヘテロテトラマーを形成している。Ｙ字型の上半分のＶ字部分をＦａｂ領域（Ｆａｂフラグメント）、下半分の直線部分をＦｃ領域（Ｆｃフラグメント）といい、Ｆａｂ領域の先端にはパラトープＢｓを有している。
【００４４】
適切に断片化処理された抗体は、ジスルフィド結合及び／又はチオール基が露出されており、貴金属ナノ粒子表面１０ｓとＳＡＭ等を介さずに直接結合させることができるため好ましい。図２に示されるように、断片化抗体は、タンパク質分解酵素パパインで処理されることにより、２つのＦａｂフラグメントとＦｃフラグメントに分解され、またタンパク質分解酵素ペプシンで処理されることにより、２つのＦａｂフラグメントがジスルフィド結合により結合されたＦ（ａｂ’）２フラグメントと断片化されたＦｃフラグメントに分解される。Ｆ（ａｂ’）２フラグメントを更に２−メルカプトエチルアミン（２−ＭＥＡ）等の還元剤で処理することによりＦ（ａｂ’）フラグメントに分解されると同時に、末端にチオール基が露出される。
これら以外にも、抗体フラグメントを作製する酵素としては、フィシン，リシルエンドペプチターゼ，Ｖ８プロテアーゼ，ブロメライン，クロストリパイン，メタロエンドペプチターゼ，パパインを活性化処理した活性化パパイン等がある。
上記した酵素を用いた断片化以外にも、化学処理や遺伝子工学的手法による断片化も採用することができる。
【００４５】
抗体の断片化は、例えば、K.L.Brogan et al. Analytica Chimica Acta 496 (2003) 73-80等の公知の方法にて実施することができる。
【００４６】
図１Ｃに示されるように、プローブ２０が抗体である場合は、プローブ２０が断片化抗体Ｆ（ａｂ’）であり、チオール基の硫黄原子と、貴金属ナノ粒子表面１０ｓの貴金属原子とが化学結合Ｂｃにより結合されてなる。かかる態様とすることにより、後記実施例１に示すように、経時による検出限界の劣化を生じることなく、粒子同士の非特異的な凝集を抑制し、特異結合の反応効率向上効果が得ることができる。
【００４７】
以上述べたように、検出液１は、生体物質からなる被検出物質Ｒと特異結合する親水性の生体物質を含むプローブ２０と、疎水性部３１と親水性部３２とを有する両親媒性の自己組織化単分子膜（ＳＡＭ）３０とが表面１０ｓに固定された貴金属ナノ粒子１０が緩衝性水溶液４０に分散されてなり、両親媒性のＳＡＭ３０は貴金属ナノ粒子１０に固定されている側が疎水性部３１であり、且つ、親水性部３２の末端基３０ｅが正又は負のいずれかの電荷を有しており、プローブ２０は貴金属ナノ粒子１０の表面１０ｓに化学結合により固定されている。かかる構成では、正又は負のいずかの電荷を末端に有したＳＡＭ３０を貴金属ナノ粒子表面１０ｓに備えているので、被検出物質Ｒとの特異結合以外の要因による非特異的な凝集を抑制することができる。また、プローブ２０が貴金属ナノ粒子表面１０ｓに化学結合により強く固定されているため、経時や物理的な力によりプローブが貴金属ナノ粒子表面１０ｓから外れて検出限界が劣化する心配もない。従って、検出液１によれば、特異結合反応効率が高く、検出精度の良好なバイオセンシングを実施することができる。
【００４８】
（バイオセンシング方法）
上記本発明の検出液を用いて、実施する本発明のバイオセンシング方法について、図４Ａ〜図４Ｃを参照して説明する。図４Ａ〜図４Ｃはサンドイッチ法により貴金属ナノ粒子１０により標識して被検出物質Ｒの量を検出する構成の例を示している。
【００４９】
本実施形態のバイオセンシング方法は、貴金属ナノ粒子１０を標識として、被測定試料２中に含まれる、生体物質からなる被検出物質Ｒを検出するバイオセンシングにおいて、
特異結合が互いに異なり、且つ、官能基の電荷が同種である２種以上の検出液（１ａ，１ｂ）を用意する検出液準備工程と、
緩衝性水溶液中に被測定試料２と準備した２種以上の検出液（１ａ，１ｂ）を混合して反応液３を調製する反応液調製工程と、
反応液３中の全てのプローブ２０（Ａ，Ｂ）の生体物質と被検出物質Ｒとを特異結合させる反応工程と、
反応工程終了後の反応液３を用いて、標識を検出することにより被測定試料２中の特異結合した被検出物質Ｒの有無を検出する検出工程を有する。
【００５０】
ここでも、被検出物質Ｒが抗原であり、この抗原と特異結合する２種の抗体２０（Ａ）と２０（Ｂ）がプローブである場合を例に説明する。
【００５１】
＜検出液準備工程＞
検出液１は、図４Ａに示されるように、検出液準備工程（Ａ−１）〜（Ａ−３），（Ｂ−１）〜（Ｂ−３）の工程を実施することにより製造することができる。（Ａ−１）〜（Ａ−３）と（Ｂ−１）〜（Ｂ−３）は、プローブの種類が異なるだけで工程は同じであるので、（Ａ−１）〜（Ａ−３）についてのみ説明する。
【００５２】
まず、緩衝性水溶液４０をビーカー等の容器に所定の量注入し、更にその中に複数の貴金属ナノ粒子１０を添加する（Ａ−１）。（Ａ−１）は非加熱にて実施してよい。
貴金属ナノ粒子１０の大きさは、光の照射により局在プラズモンを誘起可能な大きさであれば特に制限されず、個々の粒径は光の波長の半分以下であることが好ましく、１０ｎｍ以上１００ｎｍ以下であることがより好ましい。
【００５３】
検出液１中の貴金属ナノ粒子１０の濃度は、感度の良い検出が可能であれば特に制限されないが、検出したい非検出物質の濃度（定量領域）に応じて、適宜、０.１ｐｍｏｌ／ｌ以上１００００ ｐｍｏｌ／ｌ以下の範囲に調整することが好ましい。
【００５４】
次に、抗体２０（Ａ）を貴金属ナノ粒子１０の表面１０ｓに化学結合により固定する（Ａ−２）。貴金属ナノ粒子１０と結合する側の官能基は、貴金属ナノ粒子１０の金属と結合可能な官能基であれば特に制限されず、チオール基以外では、ジスルフィド基、メルカプト基等が挙げられる。抗体２０（Ａ）として断片化抗体を用いることにより、断片化抗体の持つチオール基及びジスルフィド基により容易に結合させることができる。これらの官能基の固定方法としては、特に制限されず既存の技術を利用することができる。
【００５５】
次に、抗体２０（Ａ）が固定された貴金属ナノ粒子１０の表面１０ｓに、疎水性部３１と親水性部３２とを有する両親媒性のＳＡＭ３０を、疎水性部３１側の基端３０ａが金ナノ粒子１０の表面１０ｓに固定されて、標識Ａが緩衝性水溶液４０中に分散されてなる検出液１ａを得る（Ａ−３）。また、同様の工程にて、標識Ｂが緩衝性水溶液４０中に分散されてなる検出液１ｂを得る。
【００５６】
＜反応液調製工程＞
次に、図４Ｂに示されるように、緩衝性水溶液Ｓ中に被検出物質（抗原）Ｒが分散されてなる被測定試料２を準備し、準備した２種（以上）の検出液（１ａ，１ｂ）を混合して反応液３を調製する（反応液調製工程）。
【００５７】
＜反応工程＞
次に、図４Ｃ左図に示されるように、得られた反応液３を、反応液３中の全てのプローブ２０（Ａ，Ｂ）の生体物質と被検出物質である抗原Ｒとを特異結合させる。反応条件は、抗原抗体反応の種類に応じて適宜好適な条件とする。このように２種の抗体で抗原をサンドイッチ法により検出することにより、貴金属ナノ粒子１０が二量体となり、後工程の検出工程にて被検出物質（抗原）Ｒの有無を精度良く検出することができる。
【００５８】
＜検出工程＞
検出工程は、反応工程にて反応後の反応液３を用いて、二量体となった貴金属ナノ粒子標識の有無を検出することにより特異結合の有無を検出し、被測定試料２中の被検出物質Ｒの有無を検出する工程である。
検出工程における検出方法は特に制限されないが、図４Ｃ右図には、被検出物質（抗原）Ｒの有無の検出を、ゲル電気泳動により実施する態様について、ゲル電気泳動装置１００の概略構成と、バンドＤの検出例を示す上面模式図を示してある。
【００５９】
ゲル電気泳動装置１００は、容器内にゲルマトリックス１０２が設置されてなり、検出する試料を分注するウェル１０１と電圧印加手段とを備えている。
【００６０】
本実施形態では、反応工程にて反応後の反応液３をウェル１０１に分注し、ウェル１０１側がマイナスとなるように電圧を印加して電気泳動を実施する。電圧印加の際の方向は被検出物質の帯電状態によって決定する。
【００６１】
電気泳動では、ゲルマトリックス中を被検出物質や標識等が移動する際、その分子量よって移動度が変化するため、重いもの、すなわち特異結合を形成しているものほど移動量が少なく手前側（ウェル側）となり、一本鎖はより遠くまで移動するため、一定時間電圧を印加した後に貴金属ナノ粒子１０にプラズモンを誘起可能な波長の光を含む光を照射することにより、赤色に呈色したバンドＤとなって特異結合（抗原抗体反応）の有無、すなわち、被検出物質（抗原）Ｒの有無を検出することができる。
【００６２】
バンドＤにおける各バンドの同定は、バンドを切り出してＴＥＭ観察することにより実施することができる。図８は、後記実施例１及び比較例１，比較例２にて検出されたバンドの上面写真である。図示されるように、より移動度の大きかった下流のバンドでは特異結合が形成されていない１個の貴金属ナノ粒子１０が観察され、上流側に行くにつれ、金ナノ粒子１０が２個、３個と増えていき、抗原Ｒの有無を確認することができる。
【００６３】
ゲル電気泳動による検出は、比較的高濃度の検体が必要となるため、微量な検体の検出には、より高感度な検出方法により検出する必要がある。本発明者らは、図５に概略構成が示される光学異方性検出装置２００を用い、２つの略等方性の貴金属ナノ粒子が抗原にそれぞれ特異結合して二量体を形成することにより出現する異方性を検出することによって抗原の有無を検出する方法により、高感度な検出が可能となることを見出した。
【００６４】
光学異方性検出装置２００は、試料（混合溶液）３を設置する透明の試料台２１０と、レーザ２３０と、ビームスプリッター２２１と対物レンズ２２２とからなる照射受光光学系２２０と、λ／２板２４０と、Ｐ偏光とＳ偏光に分離する偏光ビームスプリッタ２５０と、各偏光をそれぞれ検出するフォトダイオード２６１，２６２と、検出信号を表示するオシロスコープ２７０とから構成されている。
【００６５】
具体的には、倒立顕微鏡（例えば、Ｎｉｋｏｎ社製）等を用いて図５に示される検出装置を構成して測定を行う。まず、半導体レーザ２３０を対物レンズ２２２にて試料台２１０上の被測定試料２内に集光して微小スポットを形成し、微小スポットをブラウン運動により回転しながら単量体や二量体粒子が通過することにより生じる散乱光を対物レンズ２２２にて集光し、集光された光を偏光ビームスプリッタ２５０で直交する偏光成分に分離する。分離された散乱光をそれぞれフォトダイオード２６１，２６２にて受光してオシロスコープ２７０にその強度の時間トレースを表示させ、それを下記式（１）で表される偏光異方指数ＡＩの時間トレースと照合することにより、試料内の貴金属ナノ粒子の光学異方性を定量化して特異結合（抗原）の有無を検出する。
ＡＩ＝（Ｉｘ−Ｉｙ）／（Ｉｘ＋Ｉｙ）      ・・・  （１）
（Ｉｘはｘ方向の散乱光強度，Ｉｙはｘ方向に直交する散乱光強度，ｘ方向は入射光の偏光方向である）
【００６６】
微小スポットを通過する際、単量体や二量体の粒子は充分な回数回転するので、光の偏光方向に対してあらゆる配置をとることができる。従って、偏光異方指数ＡＩの最大値に着目し、該ＡＩ値を与える時間における各偏光強度及びその位相のずれから、二量体の有無、すなわち特異結合の有無を検出する。
【００６７】
実際の単量体と二量体に上記方法による各偏光強度の測定を実施し、偏光異方指数ＡＩを計算した結果を図６に示す。
図６に示されるように、偏光異方指数ＡＩ＝１．３を境に、単量体と二量体とを明確に区別することができる。
【００６８】
微量な検体の検出は、上記の方法以外に、蛍光相関分光法における蛍光の代わりに、貴金属ナノ粒子のプラズモン共鳴による強い散乱光を用いた光散乱相関分光法により、貴金属ナノ粒子の試料液中での回転運動の時定数から検出することも可能である。
【００６９】
光散乱相関分光法により得られた単量体及び二量体の自己相関関数を図７（左側は単量体（単体）、右側は二量体）に示す。二量体の回転拡散速度は単量体の約４倍程度であることが理論的に予測されており、図７に示される自己相関関数の減衰時間の差はその差を反映したものと考えられる。
【００７０】
更に、検出液１及び本発明のバイオセンシング方法は、工程（Ｄ）において、被検出物質Ｒの有無を、貴金属ナノ粒子の局在プラズモン共鳴波長シフトにより検出する態様にも好適である。
【００７１】
本発明のバイオセンシング方法は、上記本発明の検出液を用いてセンシングを行うものであるので、本発明の検出液と同様の効果を奏する。
【実施例】
【００７２】
以下、本発明の実施例及び比較例を示す。本発明者は、生化学分析に用いる検出液としては、非特異的な凝集抑制効果及び特異結合の反応効率向上効果の双方の効果を安定して得られる必要があると考え、これらの効果について、検出液１の調製直後と２４時間経過後（翌日）についての評価を実施した。【００７３】
（実施例１）
直径４０ｎｍの金ナノコロイド溶液（田中貴金属製０．１７ｐＭ金コロイド溶液）が貯留された反応容器を２つ用意した。また、１次抗体として抗hCGモノクローナルＩｇＧ抗体（Anti-hCG 5008 SP-5、Medix Biochemica社）を用い、上記したK.L.Broganらと同様にして、酢酸ナトリウム緩衝性水溶液中にてペプシンと、メルカプトメチルアミンにより断片化してＩｇＧを断片化処理した後、末端基をチオール化し、金ナノコロイド溶液が貯留された反応容器内に５０ｐＭとなるように添加し、５２℃の温度で約１時間反応させた。次にこの検出液及び測定試料の入った反応容器に、20-(11-メルカプトウンデカンイルオキシ)-3,6,9,12,15,18-ヘキサオキサエイコサン酸 試薬（同仁化学社製）を５０ｎＭの濃度となるように添加し、５２℃の温度で約３時間反応させて検出液１ａを調製した。また、同様にして、２次抗体として抗hCGモノクローナルＩｇＧ抗体（Anti-Alpha subunit 6601 SPR-5、Medix Biochemica社）を用い、同様にして検出液１ｂを調製した。【００７４】
次に、測定試料として抗原hCG（Human chorionic gonadotropin：女性ホルモンの一つ）を酢酸ナトリウム緩衝性水溶液中に分散させたものを用意し、測定試料と検出液１ａ及び検出液１ｂを混合し、室温にて８時間反応させて反応液とした。【００７５】
（比較例１）
１次抗体及び２次抗体として、断片化しないままのＩｇＧを用い、他の工程は実施例１と同様にして反応液を調製した。【００７６】
（比較例２）
１次抗体及び２次抗体として、断片化しないままのＩｇＧを用い、実施例１と同様の金ナノコロイド溶液中に添加し、５２℃の温度で約１時間反応させ、金ナノコロイドの表面に抗体を物理吸着させた。次にこの検出液及び測定試料の入った反応容器に、１％ポリエチレングリコール＋２％ＢＳＡ（Bovine serum albumin：ウシ血清アルブミン）水溶液を加えて攪拌し検出液を調製した。以降の工程は実施例１と同様にして反応液を調製した。ＳＡＭ試薬として、ウンデシルメルカプタン（英語名：Undecyl Mercaptan）を用いた以外は実施例１と同様にして反応液を調製した。【００７７】
（評価）
実施例１、比較例１，２の各例の反応液について、アガロースゲル電気泳動装置に分注し、１７５Ｖの電圧にて１５分間電気泳動を実施後に自然光にてそのバンドを観察した。その結果を図８に示す。【００７８】
図８には、わかりやすくするために、各例の右列に●により金ナノ粒子の単量体のバンド位置、二量体のバンド位置を示してある。実施例１では、検出液調製（調液）当日、及び２４時間経過後の翌日の両方とも、抗原無しにおいて二量体のバンドは検出されず、非特異結合は検出されなかった。また、抗原有りにおいても、両方とも二量体のバンドがはっきりと検出できたことが確認され、精度の高いセンシングを実施することができた。【００７９】
一方、負電荷を有するＳＡＭを配した比較例１では、検出液の調製当日及び翌日共に非特異結合を良好に抑制していることが確認された。一方、抗原がある場合においては、検出液調製当日は抗原の２量体について良好に検出されているが、翌日は検出されないという結果が得られた。比較例２では、抗原無しにおいても、複数のバンドが検出されており、非特異結合による凝集を生じており、精度の低いセンシングとなった。
以上のようにして、本発明の有効性が確認された。
【図１Ａ】
2015159534.tif 000003
【図１Ｂ】
2015159534.tif 000004
【図１Ｃ】
2015159534.tif 000005
【図２】
2015159534.tif 000006
【図３】
2015159534.tif 000007
【図４Ａ】
2015159534.tif 000008
【図４Ｂ】
2015159534.tif 000009
【図４Ｃ】
2015159534.tif 000010
【図５】
2015159534.tif 000011
【図６】
2015159534.tif 000012
【図７】
2015159534.tif 000013
【図８】
2015159534.tif 000014
【国際調査報告】
2015159534.tif 000015
2015159534.tif 000016
2015159534.tif 000017
2015159534.tif 000018